(57)【要約】      （修正有）【課題】  テーブル側の構造を複雑にすることなく角度切り調整機のガイド部材を好適に補強し得るテーブルソーを提供する。【解決手段】  テーブル２に左右方向に引出し可能に設けられる補助テーブル体３と、テーブル２上にて角度調整した切断材を角度調整した状態のまま切断刃５０に向けて押す角度切り調整機４を有しているテーブルソー１であって、角度切り調整機４は、テーブル２に設けられたレール溝２ｃに移動可能に設けられるガイド部材４０と、ガイド部材４０上において角度調整可能に設けられる角度調整部材４１と、ガイド部材４０を補強する補強体４３を有している。  補強体４３は、ガイド部材４０と平行に延出する補強長手部４４と、補強長手部４４とガイド部材４０とを連結する第一の補強短手部４５と第二の補強短手部４６を有している。そして補強長手部４４が補助テーブル体３によってテーブル前後方向に移動可能に支持される構成になっている。【選択図】        図１
2006068936.tif 000002
【特許請求の範囲】
【請求項１】
テーブルからはみ出た切断材の下面を支持するためにテーブルに対して左右方向に引出し可能に設けられる補助テーブル体と、テーブル上にて角度調整した切断材を角度調整した状態のまま前記テーブルに設けられた切断刃に向けて押す角度切り調整機とを有している角度切り調整機付きテーブルソーであって、
前記角度切り調整機は、前記テーブルに設けられたレール溝に移動可能に設けられるガイド部材と、そのガイド部材上において角度調整可能に設けられかつ前記切断材の一辺が当接される角度調整部材と、前記ガイド部材を補強する補強体とを有しており、
前記補強体は、前記ガイド部材と平行に延出する補強長手部と、前記補強長手部の一端と前記ガイド部材の一端とを連結する第一の補強短手部と、前記補強長手部の他端と前記ガイド部材の他端とを連結する第二の補強短手部とを有し、前記補強長手部が、前記補助テーブル体によってテーブル前後方向に移動可能に支持される構成になっており、前記角度切り調整器が、前記ガイド部材と前記補強長手部とによってテーブル前後方向に案内される構成になっていることを特徴とする角度切り調整機付きテーブルソー。
【請求項２】
請求項１に記載の角度切り調整機付きテーブルソーであって、
補助テーブル体は、テーブルの側縁に沿って延出する補助台と、その補助台をテーブルに対して引出し可能に支持する支持部と、前記支持部に対する前記補助台の高さを切替える高さ切替え機構とを有しており、
前記補助台の高さが、前記高さ切替え機構によって前記補助台の台面高さとテーブルのテーブル面高さとが同じ高さになる補助台用高さと、前記補助台の台面上に載置される補強長手部とガイド部材とが同じ高さになる角度切り用高さとに切替えられる構成になっていることを特徴とする角度切り調整機付きテーブルソー。
【請求項３】
請求項２に記載の角度切り調整機付きテーブルソーであって、
高さ切替え機構は、補助台を支持部に対してテーブルの前後方向に水平移動させることで、前記補助台の高さを補助台用高さと角度切り用高さとに切替えるスライド構造と、前記両高さ位置にて前記補助台を前記支持部に対して位置保持する保持構造とを有していることを特徴とする角度切り調整機付きテーブルソー。
【発明の詳細な説明】
【技術分野】
【０００１】
本発明は、テーブルからはみ出た切断材の下面を支持するためにテーブルに対して引出し可能に設けられる補助テーブル体と、テーブル上にて角度調整した切断材を角度調整した状態のままテーブルに設けられた切断刃に向けて押す角度切り調整機とを有している角度切り調整機付きテーブルソーに関する。
【背景技術】
【０００２】
従来、種々なテーブルソーが知られており、例えば補助テーブル体を有するテーブルソーや角度切り調整機を有するテーブルソーなどが知られている。
特許文献１に記載のテーブルソーは、補助テーブル体を有している。補助テーブル体は、テーブルに対して引出し可能であって、引出されることでテーブルからはみ出た切断材の下面を支持する構成になっている。
【０００３】
角度切り調整機を有するテーブルソーも従来知られている。角度切り調整機は、テーブル上にて角度調整した切断材を角度調整した状態のまま切断刃に向けて押す構成になっている。したがって切断材を所定角度にて切断することができる構成になっている。
角度切り調整機は、従来様々なタイプのものがあり、例えばテーブル面からはみ出てしまう大きな切断材をも角度調整し得るタイプも知られている。本タイプの角度切り調整機は、テーブルに設けられたレール溝に移動可能にガイド部材が設けられている。ガイド部材は、少なくとも一端部がテーブルからはみ出る構成になっており、ガイド部材上に角度調整可能に角度調整部材が設けられている。
【特許文献１】米国特許第５８５７５０７号明細書
【発明の開示】
【発明が解決しようとする課題】
【０００４】
しかしガイド部材は、通常一本構造であるために強度が弱かった。そのため角度切り調整機は、大型化することが困難な構造になっていた。そこでガイド部材を補強する補強体を設けることも考えられるが、補強体を設けた場合には、補強体を支持する構造が必要になってくる。そしてその構造をテーブル側に設けたくないという要望があった。
【０００５】
また従来、テーブルソーに角度切り調整機と補助テーブル体との両方を付属品として設けたいという要望もあった。
そこで本発明は、角度切り調整機と補助テーブル体とを有し、角度切り調整機がテーブルからはみ出るガイド部材を有しているテーブルソーにおいて、テーブル側の構造を複雑にすることなくガイド部材を好適に補強し得る構成を備えるテーブルソーを提供することを課題とする。
【課題を解決するための手段】
【０００６】
前記課題を解決するために本発明は、各請求項に記載の通りの構成を備える角度切り調整機付きテーブルソーであることを特徴とする。
請求項１に記載の発明によると、角度切り調整機は、テーブルに設けられたレール溝に移動可能に設けられるガイド部材と、そのガイド部材上において角度調整可能に設けられかつ切断材の一辺が当接される角度調整部材と、ガイド部材を補強する補強体とを有している。補強体は、ガイド部材と平行に延出する補強長手部と、補強長手部の一端とガイド部材の一端とを連結する第一の補強短手部と、補強長手部の他端とガイド部材の他端とを連結する第二の補強短手部とを有している。そして補強長手部が、補助テーブル体によってテーブル前後方向に移動可能に支持される構成になっており、角度切り調整器が、ガイド部材と補強長手部とによってテーブル前後方向に案内される構成になっている。
【０００７】
したがってガイド部材は、補強体によって補強されている。そのため角度切り調整機は、ガイド部材の長さを長くした構成においても十分な強度を得ることができ、大型化が可能な構成になっている。
また補強体は、補強長手部が補助テーブル体によって移動可能に支持される構成になっている。そのため補強体を支持する構造をテーブル側に設ける必要がない。したがって補強体は、テーブル側の構造を複雑にすることなく補助テーブル体側によって好適に支持され得る。
【０００８】
請求項２に記載の発明によると、補助テーブル体は、テーブルの側縁に沿って延出する補助台と、その補助台をテーブルに対して引出し可能に支持する支持部と、支持部に対する補助台の高さを切替える高さ切替え機構とを有している。そして補助台の高さが、高さ切替え機構によって補助台の台面高さとテーブルのテーブル面高さとが同じ高さになる補助台用高さと、補助台の台面上に載置される補強長手部とガイド部材とが同じ高さになる角度切り用高さとに切替えられる構成になっている。
【０００９】
したがって補助台が補助台用高さにされることで、補助台の台面とテーブルのテーブル面とが同じ高さになる。このため補助台は、テーブルからはみ出た切断材の下面を好適に支持することができる。
補助台の台面上には、補強長手部が載置される場合があるが、補助台が角度切り用高さにされることで補強長手部とガイド部材とが同じ高さになる。このためガイド部材は、同じ高さにある補強体によって安定良く補強され得る。
また補強長手部は、補助台の台面上に載置され得る。したがって補助台には、補強長手部を支持するための溝などを設ける必要がない。そのため補助台は、簡易な構成になる。しかも補助台は、溝を設けた構成よりもテーブルからはみ出た切断材の下面を広い面積にて支持し得る構成にもなっている。
【００１０】
請求項３に記載の発明によると、高さ切替え機構は、補助台を支持部に対してテーブルの前後方向に水平移動させることで、補助台の高さを補助台用高さと角度切り用高さとに切替えるスライド構造と、両高さ位置にて補助台を支持部に対して位置保持する保持構造とを有している。
したがって補助台は、テーブルの前後方向に水平移動されることで補助台用高さと角度切り用高さとに切替えられる。そしてその位置にて保持される。したがって容易にかつ安定良く補助台の高さが切替えられ得る。
【発明を実施するための最良の形態】
【００１１】
本発明の実施の形態を図１〜７にしたがって説明する。
テーブルソー１は、図１に示すようにテーブル２と切断機５を有している。そしてテーブルソー１は、付属品として補助テーブル体３と角度切り調整機４とを有している。
テーブル２は、切断材が載置されるテーブル面２ａを有しており、テーブル面２ａにレール溝２ｂ，２ｃが形成されている。
【００１２】
レール溝２ｂ，２ｃは、テーブル面２ａの一端縁から他端縁に直線状に設けられており、テーブル面２ａを横切っている。レール溝２ｂ，２ｃは、図５に示すようにあり溝状に形成されており、溝奥側が開口側よりも幅広になっている。したがって図４に示すようにレール溝２ｃに嵌め込まれた角度切り調整機４のガイド部材４０は、レール溝２ｃによって上方へ抜け止めされた状態にて支持されている。
【００１３】
切断機５は、丸鋸であって円盤状の切断刃５０を有している。切断機５の本体部は、テーブル面２ａの下側に固定されている。そして切断刃５０の一部がテーブル面２ａに形成された長穴２ｄを越えてテーブル面２ａから突出している。したがって切断材をテーブル面２ａ上において切断刃５０に向けてスライドさせることで切断材を切断刃５０によって切断することができる。
【００１４】
補助テーブル体３は、図５，６に示すようにテーブル２に対して引出し可能であって、引出されることでテーブル２からはみ出た切断材の下面を支持する構成になっている。
補助テーブル体３は、図１に示すようにテーブル２の側縁に沿って延出する補助台３０と、補助台３０をテーブル２に対して引出し可能に支持する支持部３１，３２とを有している。
補助台３０の長手方向は、レール溝２ｃと平行であると同時に切断刃５０による切断材の切断方向と平行である。そして補助台３０は、平滑な台面３０ａを有している。
【００１５】
支持部３１は、図５，６に示すように丸棒から形成されている。支持部３１は、テーブル２に設けられた取付部材２０によってスライド可能に支持されている。これにより支持部３１は、テーブル面２ａの下側にて切断方向と直交する方向にスライドされ得る構成になっている。
他の支持部３２も図１に示すように支持部３１と同様に取付部材２２によってテーブル２に対して引出し可能に支持されている。
【００１６】
補助台３０には、図２に示すようにスライド溝３３と保持溝３４が形成されており、スライド溝３３と保持溝３４のそれぞれには、支持部３１，３２が貫通されている。そして図４に示すように支持部３１（３２）には、抜止部材３５，３６（例えばサークリップ）が取り付けられており、支持部３１（３２）が抜止部材３５，３６によって補助台３０に対して軸方向に抜け止めされている。
【００１７】
補助台３０と支持部３１，３２の間には、図２に示すように補助台３０の高さを切替える高さ切替え機構（６，７）が設けられている。
高さ切替え機構は、スライド構造６と保持構造７とを有している。
スライド構造６は、補助台３０に形成されたスライド溝３３を有している。
スライド溝３３は、切断材の切断方向に開口されており、一端部３３ａから他端部３３ｂに向けて徐々に高い位置になっている。そしてスライド溝３３には、支持部３２が挿通されている。したがって補助台３０を後方（図２左方向）へ水平移動させることで補助台３０が徐々に高くなり、図３の高さ（補助台高さ）まで高くなる。
【００１８】
保持構造７は、図２に示すように補助台３０に形成された保持溝３４を有している。
保持溝３４は、上下方向に開口されている二つの上下溝３４ａ，３４ｃと上下溝３４ａ，３４ｃの下側同士を連通している横溝３４ｂとを有している。そして保持溝３４には、支持部３１が挿通されている。したがって補助台３０を持上げ、続いて後方（図２左方向）に移動させ、補助台３０を下げることで上下溝３４ｃに支持部３１が設置される。したがって補助台３０は、保持構造７によって図２に示す高さ（角度切り用高さ）と図３に示す高さ（補助台用高さ）とに高さが切替えられ、その位置にて保持される。
【００１９】
角度切り調整機４は、切断材をテーブル面方向に角度調整した状態のまま切断機５に向けて押すことで切断材を角度切りする構成になっている（図１参照）。さらに角度切り調整機４は、テーブル面２ａからはみ出した切断材の一端部を押し得る構成になっており、大きな切断材をも角度切りできる構成になっている。
角度切り調整機４は、ガイド部材４０と角度調整部材４１と補強体４３を有している。
ガイド部材４０は、レール溝２ｃに移動可能に設けられている。ガイド部材４０は、レール溝２ｃよりも長く、両端部がテーブル面２ａからはみ出している。ガイド部材４０の断面形状は、図４に示すようにレール溝２ｃとほぼ同じ形状になっており、溝奥側が開口側よりも幅広になっている。したがってガイド部材４０は、レール溝２ｃによって上方向へ抜け止めされた状態にてレール溝２ｃに支持されている。
【００２０】
角度調整部材４１は、図１に示すように本体部４１ａと支持部４１ｃと目盛り部４１ｄとを有している。
本体部４１ａは、ピン４１ｂによってガイド部材４０に対してテーブル面方向に角度調整可能に取付けられている。本体部４１ａの前面には、図２に示すように支持部４１ｃが設けられており、後面には目盛り部４１ｄが設けられている。
【００２１】
支持部４１ｃは、切断材の一端部が当接される当接面４１ｃ１を有している。当接面４１ｃ１は、平面状に形成されており切断材を広い面積にて支持し得る構成になっている。
目盛り部４１ｄは、本体部４１ａに一体状に設けられており、本体部４１ａとともにガイド部材４０に対して回転する。目盛り部４１ｄは、図１に示すように半円盤状であって、外周縁に沿って目盛りが刻まれている。したがって目盛りを利用することで角度調整部材４１のガイド部材４０に対する角度を読取ることができる。そして角度調整部材４１の角度を調整することで、切断材を所望の角度（テーブル面方向の角度）に設定することができる。
【００２２】
目盛り部４１ｄには、外周縁の内寄りにて外周縁に沿って円弧状にガイド溝４１ｄ１が形成されている。そしてガイド溝４１ｄ１には、角度調整部材４１を所定角度位置にて位置決め固定する位置決め部材４２が設置されている。
位置決め部材４２は、図２に示すように円筒状のハンドル４２ｂと、ハンドル４２ｂから下方に突出するピン４２ａとを有している。
ピン４２ａは、ガイド溝４１ｄ１を貫通し、先端部にガイド部材４０に設けられた雌ネジ部４０ａに羅合される雄ネジ部を有している。
【００２３】
したがってハンドル４２ｂを軸周り方向に回転させることで、ピン４２ａが雌ネジ部４０ａに対して上下動する。これによりハンドル４２ｂの下端面４２ｃが目盛り部４１ｄに対して上下動する。下端面４２ｃを目盛り部４１ｄに向けて下げた場合は、下端面４２ｃによって目盛り部４１ｄをガイド部材４０に押付けることができ、角度調整部材４１をガイド部材４０に対して位置保持することができる。下端面４２ｃを目盛り部４１ｄから離間させた際には、目盛り部４１ｄが位置決め部材４２に対してフリー状態になり、角度調整部材４１を角度調整することができる。
【００２４】
ガイド部材４０を補強する補強体４３は、図１に示すように補強長手部４４と第一の補強短手部４５と第二の補強短手部４６とを有している。
補強長手部４４は、ガイド部材４０とほぼ同じ長さであってガイド部材４０に対して平行に延出している。
第一の補強短手部４５は、補強長手部４４の一端（右端）とガイド部材４０の一端（右端）とを連結し、第二の補強短手部４６は、補強長手部４４の他端（左端）とガイド部材４０の他端（左端）とを連結している。したがって補強体４３は、ガイド部材４０とともに長方形の枠組を構成する。かくしてガイド部材４０は、補強体４３によって効果的に補強されている。
【００２５】
補強長手部４４は、図１に示すように補助テーブル体３の補助台３０の台面３０ａ上に載置されている。そして補強長手部４４は、ガイド部材４０とともにテーブル前後方向（図１左右方向）に移動し、移動する際に補助台３０の台面３０ａ上を移動する。したがって補強長手部４４は、補助台３０にてテーブル前後方向に移動可能に支持されている。
第一の補強短手部４５と第二の補強短手部４６は、どちらもテーブル面２ａから外れた位置に配設されている。
【００２６】
以下に、角度切り調整機４をテーブル２へ取付ける方法と、角度切り調整機４を利用して切断材を角度切りする方法について説明する。
角度切り調整機４をテーブル２へ取付ける場合は、角度切り調整機４よりも先に補助テーブル体３をテーブル２に取付ける（図１参照）。そして補助台３０をテーブル２の側縁に隣接する位置に設置する（収納する）。続いて補助台３０を図２に示す角度切り用高さに設定する。
【００２７】
次に、ガイド部材４０をテーブル２の前面側（図１左側）からレール溝２ｃに挿入すると同時に、補強体４３の補強長手部４４を補助台３０の台面３０ａ上に載置する。補強長手部４４は、図２に示すように補助台３０が角度切り用高さに設定されているために、補助台３０によってガイド部材４０とほぼ同じ高さに設定されている。したがって補強体４３は、ガイド部材４０に対して捩れた関係になっておらず、安定良くガイド部材４０を補強する。そして補強体４３は、ガイド部材４０とともに安定良く移動する。
【００２８】
角度切り調整機４を利用して切断材を切断する際には、先ず、角度調整部材４１の角度を調整する。そして支持部４１ｃに切断材の一端部を当接させ、その状態のまま角度切り調整機４とともに切断材を切断刃５０に向けて移動させる。これにより切断材は、角度切り調整機４によって所定の角度に保持されたまま切断刃５０によって切断される。
【００２９】
次に、補助テーブル体３をテーブル２から引出して利用する方法について説明する。
先ず、角度切り調整機４をテーブル２から取外す。そして補助台３０を図２の状態から後方（図中左方向）に押して、補助台３０を図３に示す補助台用高さに設定する。これにより補助台３０の台面３０ａをテーブル２のテーブル面２ａとほぼ同じ高さにする（図５参照）。
【００３０】
次に、補助台３０を図６に示すようにテーブル２から離間させる方向に移動させる（引出す）。これにより補助台３０は、支持部３１（３０）に支持されながら移動する。したがって補助台３０は、テーブル２からはみ出た切断材Ｗの下面を台面３０ａ上にて支持し得る。
支持部３１と取付部材２０の間には、支持部３１を所定位置に位置決めする位置決め構造が設けられている。位置決め構造は、支持部３１に形成された複数の位置決め溝３１ａ，３１ｂと、取付部材２０に設けられた位置決めバネ２１とを有している。
位置決めバネ２１は、バネ材から形成されており、位置決め溝３１ａ，３１ｂに嵌り込むことで支持部３１を所定位置にて位置決めする。
【００３１】
補助テーブル体３と角度切り調整機４は、前記したようにテーブル２の図１下側領域にて脱着可能に取付けられる構成になっている。また補助テーブル体３と角度切り調整機４は、テーブル２に対して図１上側領域にても脱着可能に取付けられ得る構成になっている。すなわち補助テーブル体３がテーブル２の図１の上側領域側に取付けられる。そしてテーブル２のレール溝２ｂにガイド部材４０が取付けられ、補強体４３がガイド部材４０の図１の上側領域側に取付けられる。そして補強体４３の補強長手部４４が補助テーブル体３の補助台３０上に載置される構成になっている。
【００３２】
以上のようにしてテーブルソー１が形成されている。
すなわち角度切り調整機４は、図１に示すようにガイド部材４０と角度調整部材４１と補強体４３を有している。補強体４３は、補強長手部４４と第一の補強短手部４５と第二の補強短手部４６を有している。そして補強長手部４４が補助テーブル体３によってテーブル前後方向に移動可能に支持されている。
【００３３】
したがってガイド部材４０は、補強体４３によって補強されている。そのため角度切り調整機４は、ガイド部材４０の長さを長くした構成においても十分な強度を得ることができ、大型化が可能な構成になっている。
また補強体４３は、補強長手部４４が補助テーブル体３によって移動可能に支持される構成になっている。そのため補強体４３を支持する構造をテーブル２側に設ける必要がない。したがって補強体４３は、テーブル２側の構造を複雑にすることなく補助テーブル体３側によって好適に支持され得る。
【００３４】
補助テーブル体３は、図１に示すように補助台３０と支持部３１，３２と高さ切替え機構（６，７）を有している。そして補助台３０の高さが、図３，５に示す補助台用高さと、図２に示す角度切り用高さとに切替えられる構成になっている。
したがって補助台３０が図５に示すように補助台用高さにされることで、補助台３０の台面３０ａとテーブル２のテーブル面２ａとが同じ高さになる。このため補助台３０は、テーブル２からはみ出た切断材の下面を好適に支持することができる。
【００３５】
補助台３０の台面３０ａ上には、図２に示すように補強長手部４４が載置される場合があるが、補助台３０が角度切り用高さにされることで補強長手部４４とガイド部材４０とが同じ高さになる。このためガイド部材４０は、同じ高さにある補強体４３によって安定良く補強され得る。
また補強長手部４４は、補助台３０の台面３０ａ上に載置され得る。したがって補助台３０には、補強長手部４４を支持するための溝などを設ける必要がない。そのため補助台３０は、簡易な構成になる。しかも補助台３０は、溝を設けた構成よりもテーブル２からはみ出た切断材の下面を広い面積にて支持し得る構成にもなっている（図６参照）。
【００３６】
高さ切替え機構（６，７）は、図２，３に示すように補助台３０を支持部３１，３２に対してテーブルの前後方向に（図２，３左右方向に）水平方向に移動させることで、補助台３０の高さを補助台用高さと角度切り用高さとに切替えるスライド構造６と、両高さ位置にて補助台３０を支持部３１，３２に対して位置保持する保持構造７とを有している。
したがって補助台３０は、支持部に対してテーブルの前後方向に水平移動されることで補助台用高さと角度切り用高さとに高さが切替えられる。そしてその位置にて保持される。したがって容易にかつ安定良く補助台３０の高さが切替えられ得る。
【００３７】
（他の実施の形態）
本発明は、上記の実施の形態に限定されず、例えば以下の形態であってもよい。
（１）上記の実施の形態は、補助台の高さを変えることができ、補助台の台面上にガイド部材が載置される構造になっていた。しかし補助台の高さを変えることができず、補助台の台面にレール溝が設けられており、そのレール溝に長手補助部がスライド可能に取付けられる形態であっても良い。
（２）上記の実施の形態は、補助テーブル体の補助台によって長手補助部がスライド可能に支持される形態であった。しかし補助テーブル体が引出され、補助テーブル体の支持部の上に長手補助部がスライド可能に支持される形態であっても良い。
【図面の簡単な説明】
【００３８】
【図１】テーブルソーの上面図である。
【図２】図１のＡ−Ｂ−Ｃ−Ｄ−Ｅ線における断面矢視図である。
【図３】角度切り調整機を取外した状態の図２に相当する図である。
【図４】図１の矢印Ｅ−Ｅ線断面矢視図である。
【図５】角度切り調整機を取外した状態の図４に相当する図である。
【図６】補助テーブル体を引出した際の図５に相当する図である。
【符号の説明】
【００３９】
１…テーブルソー
２…テーブル
２ａ…テーブル面
２ｂ，２ｃ…レール溝
３…補助テーブル体
４…角度切り調整機
５…切断機
６…スライド構造（高さ切替え機構）
７…保持構造（高さ切替え機構）
３０…補助台
３０ａ…台面
３１，３２…支持部
３３…スライド溝
３４…保持溝
４０…ガイド部材
４１…角度調整部材
４３…補強体
４４…補強長手部
４５…第一の補強短手部
４６…第二の補強短手部
５０…切断刃
Ｗ…切断材
【図１】
2006068936.tif 000003
【図２】
2006068936.tif 000004
【図３】
2006068936.tif 000005
【図４】
2006068936.tif 000006
【図５】
2006068936.tif 000007
【図６】
2006068936.tif 000008